(57)【特許請求の範囲】
【請求項１】
パネル基材を、１対の上下枠と１対の左右枠からなる外枠材で保持してパネル材を構成するとともに、上下枠を板状部材で形成し、各左右枠を、前後方向の中央に設けた１対の内側向き突片をもって前記パネル基材の左右縁を保持する左右枠本体と、この左右枠本体に前記パネル基材の前後方向の両側に位置させて着脱可能に取付けられる１対のカバー部材とにより構成し、このカバー部材を、前記左右枠本体の前後方向の中央から両縁に向けて、平面視において左右方向の外側に向けて傾斜するカバー板部と、このカバー板部の前後方向の両端部に、左右枠本体に向けて設けられた、短寸の外側弾性係止片と長寸の内側弾性係止片とより形成して、このカバー板部の内外両弾性係止片を、前記左右枠本体における前後方向の両端部に設けた第１係合部と前記内側向き突片の前後方向の外側面における基部に設けた第２係合部とに係止させるとともに、前記上下枠における上下方向の内側面の前後方向の中央に、パネル基材の上下縁を嵌合して固定するための左右方向の凹溝を設け、かつ左右の支柱間に、前記パネル材を、床面に配設したアジャスタ装置上に、複数段に順次積み上げて組み付け、さらに、互いに上下に隣接するパネル材における互いに対向する上下枠の対向面に、積み重ねたときに互いに嵌合するようにした係合溝と係止突条とを設けたことを特徴とする間仕切パネル装置。
【請求項２】
左右枠本体を、その互いに対向する内側面から支柱にねじ止めするとともに、カバー部材を、左右枠本体の前記内側面に着脱可能に取付けたことを特徴とする請求項１記載の間仕切パネル装置。
【請求項３】
床面上に第１アジャスタ装置を配設し、この上に、１段または複数段にパネル材を積み上げて、天井に配設した第２アジャスタ装置と前記第１アジャスタ装置の両者により、圧着して組み付けたことを特徴とする請求項１または２記載の間仕切パネル装置。
【発明の詳細な説明】
【技術分野】
【０００１】
本発明は、現場における施工が容易であるとともに、施工後の美観に優れた間仕切パネル装置に関する。
【背景技術】
【０００２】
間仕切パネル装置は、各種形態のものが提案されている。
たとえば、特許文献１には、施工性がよく、上方に積み上げることも可能で、外観的にも良好な間仕切装置として、ガラス枠体の両面側にガラスを嵌めた二重ガラス間仕切りにおいて、上記ガラス枠体を、上桟、下桟、及び両縦桟を枠組して構成し、各桟の両面側には、ガラス溝を形成し、枠組されたガラス枠体の内周にはガラス溝を設け、そして縦桟には、取外すことによりガラス溝の表面側が開口する補助部材を着脱可能に取付け、このガラス枠体を、床レールに配置したアジャスタによって支持された幅木に載置するとともに、上端を天井レールと連結し、両側をスタッドに固定した二重ガラス間仕切装置が開示されている。
【０００３】
また、特許文献２，３には、取付けるパネルが、ガラスパネルであっても、金属製の表面材を貼着したパネルであっても、共通するスタッドを使用することにより、部品点数を削減し、取付け作業を簡単にした間仕切装置が開示されている。
【０００４】
しかし、これらの特許文献に開示されているものは、いずれも、現場における組立て作業に相当の手数を要するため、施工能率において問題がある。
【特許文献１】特開２００４−２３２３１１号公報
【特許文献２】特開２００３−１０５８９６号公報
【特許文献３】特開２００３−１０５９０８号公報
【特許文献４】特開２００５−０２３６３２号公報
【発明の開示】
【発明が解決しようとする課題】
【０００５】
本発明は、上記の問題点に鑑み、現場において短時間で容易に組立てることができ、施工能率に優れるとともに、施工後の見栄えも良好であり、かつ強度も大きい間仕切パネル装置を提供することを目的とする。
【課題を解決するための手段】
【０００６】
上記課題は、特許請求の範囲における各請求項に示すように、下記の構成を備える発明によって解決される。
(１)   パネル基材を、１対の上下枠と１対の左右枠からなる外枠材で保持してパネル材を構成するとともに、上下枠を板状部材で形成し、各左右枠を、前後方向の中央に設けた１対の内側向き突片をもって前記パネル基材の左右縁を保持する左右枠本体と、この左右枠本体に前記パネル基材の前後方向の両側に位置させて着脱可能に取付けられる１対のカバー部材とにより構成し、このカバー部材を、前記左右枠本体の前後方向の中央から両縁に向けて、平面視において左右方向の外側に向けて傾斜するカバー板部と、このカバー板部の前後方向の両端部に、左右枠本体に向けて設けられた、短寸の外側弾性係止片と長寸の内側弾性係止片とより形成して、このカバー板部の内外両弾性係止片を、前記左右枠本体における前後方向の両端部に設けた第１係合部と前記内側向き突片の前後方向の外側面における基部に設けた第２係合部とに係止させるとともに、前記上下枠における上下方向の内側面の前後方向の中央に、パネル基材の上下縁を嵌合して固定するための左右方向の凹溝を設け、かつ左右の支柱間に、前記パネル材を、床面に配設したアジャスタ装置上に、複数段に順次積み上げて組み付け、さらに、互いに上下に隣接するパネル材における互いに対向する上下枠の対向面に、積み重ねたときに互いに嵌合するようにした係合溝と係止突条とを設ける。
【０００７】
(２)  上記(１)項において、左右枠本体を、その互いに対向する内側面から支柱にねじ止めするとともに、カバー部材を、左右枠本体の前記内側面に着脱可能に取付ける。
【０００８】
(３)  上記(１)項または(２)項において、床面上に第１アジャスタ装置を配設し、この上に、１段または複数段にパネル材を積み上げて、天井に配設した第２アジャスタ装置と前記第１アジャスタ装置の両者により、圧着して組み付ける。
【発明の効果】
【０００９】
本発明によると、次のような効果が奏せられる。
請求項１記載の発明によれば、工場において、板ガラスなどのパネル基材を外枠材で保持して形成したパネル材を、現場に搬入し、現場においては、前記パネル材を、床面に配設したアジャスタ装置上に積み上げて組み付けするだけで、間仕切パネル装置を短時間に組立てることができるため、施工能率に優れる。
また、上下枠を板状部材で形成し、各左右枠を、互いに対向する内側面において、その幅方向における中央から両縁に向かって、平面視において左右方向の外側に向けて傾斜する傾斜面を備えるように形成してあるため、上下枠、左右枠における各前後縁の幅を小さくすることができ、パネル材の外枠を目立たないようにすることができるとともに、形状が異なる上下枠と左右枠の組合せによって施工後の見栄えも良好な間仕切パネル装置が得られる。
さらに、傾斜面を備える左右枠を、容易に得ることができるとともに、カバー部材を取り替えることにより、左右枠の傾斜面の角度を調節することができる。
【００１０】
請求項２記載の発明によれば、パネル材を支柱にねじ止めしてあるため、施工後の強度が大きいとともに、カバー部材で覆ってあるため見栄えが良好であり、かつカバー部材が着脱可能に取付けてあるため、施工後の保守点検も容易である。
【００１１】
請求項３記載の発明によれば、床面上に配設した第１アジャスタ装置により、間仕切パネル装置のレベル調整をして見栄えを良好にすることができるとともに、第１および第２の両アジャスタ装置により、パネル材を圧着するため、施工能率に優れるとともに、施工後の強度も大きい。
【発明を実施するための最良の形態】
【００１２】
図１は、本発明を適用した間仕切パネル装置の一実施形態を示す斜視図、図２，図３は、それぞれ図１におけるII〜II線断面図、III〜III線断面図、図４，図５は、それぞれ、図３における上下端部近傍の部分拡大図、一点鎖線円Ｖ内の部分拡大図である。図６は、図１における一点鎖線円VI内の部分拡大斜視図である。
【００１３】
本発明の間仕切パネル装置(１)は、左右１対の支柱(２)(２)（図２，図６参照）間に、図１，図３に示すように、パネル材(３)を、床面(４)に設けた第１アジャスタ装置(５)上に、４段に積み上げて、天井(６)に設けた第２アジャスタ装置(７)と前記第１アジャスタ装置(５)との両者により圧着して組み付けられている。支柱(２)は、平面視において、ほぼ角形Ｓ字状の上下方向に延びる２個の鉄製部材を、開口部が左右方向の外向きになるように、かつ前後逆向きとなるようにして、溶着して形成されている（図２参照）。
【００１４】
パネル材(３)は、板ガラスよりなるパネル基材(８)の周縁を外枠材(９)で保持して形成されている。外枠材(９)は、上下１対の上下枠(10)(11)と、左右１対の左右枠(12)(12)とよりなる。
【００１５】
図３、図５に示すように、第１アジャスタ装置(５)と第２アジャスタ装置(７)間に積み上げられている４段のパネル材(３)のうち、最下段のパネル材(3a)と最上段のパネル材(3d)を除く、２個のパネル材(3b)(3c)における上下枠(10)(11)は、左右方向に延びる所定幅の板状部材からなり、上下方向の外側面(10a)(11a)には、左右方向の係合溝(13)(14)と係止突条(15)(16)とが、離間して設けられている。上下枠(10)(11)は同一部材であり、上枠(10)は、下枠(11)を左右方向の軸線回りに１８０度回転させた関係にある。すなわち、上枠(10)と下枠(11)とは、左右方向の軸線回りに回転対称に形成されている。
【００１６】
各パネル材(３)は、隣接するパネル材、たとえば３段目のパネル材(3c)における下枠(11)の係止突条(16)と係合溝(14)を、２段目のパネル材(3b)における上枠(10)の係合溝(13)と係止突条(15)にそれぞれ嵌合させて、積み上げ組み付けされている。
【００１７】
図５に明示するように、係合溝(13)(14)と係止突条(15)(16)には、隣接するパネル材(3b)(3c)の相互の前後方向の位置を補正するためのガイド傾斜面(17)が形成されている。このガイド傾斜面(17)が存在するため、各パネル材(３)を積み上げた後に、第１および第２の両アジャスタ装置(５)(７)により、上下から圧着することによって、すべてのパネル材(３)の前後面を、自動的にそれぞれ同一平面に揃えることができる。
【００１８】
上下枠(10)(11)の上下方向の内側面(10b)(11b)の前後方向の中央には、板ガラスよりなるパネル基材(８)の上下縁を嵌合して固定するための左右方向の凹溝(18)が設けられている。
【００１９】
最下段のパネル材(3a)における上枠(19)は、２段目、３段目のパネル材(3b)(3c)における上枠(10)と同一である。
【００２０】
最下段のパネル材(3a)における下枠(20)は、図３，図４に示すように、左右方向に延び、かつ上枠(19)と同一幅の板状部材(21)の上面(21a)に、前後方向の中央に左右方向の凹溝(22)を設けるとともに、下面(21b)の前後方向の端部近傍に左右方向に延びる下向きの垂下片(23)(23)を設け、かつ両垂下片(23)(23)を、上下方向のほぼ中央で横連結片(24)により連結した形状をなし、両垂下片(23)(23)の前後方向の外側面(23a)の下部には、それぞれ上下１対の弾性係止片(25)(25)が設けられ、両弾性係止片(25)(25)の対向面の遊端近傍には、内側向きの係止爪(25a)(25a)が設けられている。
【００２１】
最上段のパネル材(3d)における下枠(26)は、２段目、３段目のパネル材(3b)(3c)における下枠(11)と同一である。
【００２２】
最上段のパネル材(3d)における上枠(27)は、最下段のパネル材(3a)における下枠(20)を、天地逆にした形状となっている。
【００２３】
各パネル材(３)における左右１対の左右枠(12)(12)は、上下枠(10)(11)間に設けられている（図１，図３，図６参照）。左右枠(12)(12)は、図２、図６に示すように、左右枠本体(28)とカバー部材(29)とよりなる。
【００２４】
左右枠本体(28)は、平面視において、左右方向の外側面(28a)に、支柱(２)に嵌合させるための凹部(30)が設けられるとともに、前後方向の両端部が内側向きにコ字状に折り曲げられ、その遊端部がさらに左右方向の内側向きに折り曲げられて、第１係合部(31)が設けられ、かつ１対の左右枠本体(28)(28)の互いに対向する内側面(28b)における前後方向の中央に、１対の内側向き突片(32)(32)を設けて、パネル基材(８)の左右縁を嵌合させて保持するための凹溝(33)が形成され、さらに前記１対の内側向き突片(32)(32)の前後方向の外側面における基部に、外向きの第２係合部(34)が設けられている。
【００２５】
各パネル材(３)は、左右枠本体(28)(28)の外側面(28a)の凹部(30)に、支柱(２)を嵌合させるとともに、床面(４)に設けた第１アジャスタ装置(５)上に、順次下方から積み上げた後に、天井に設けた第２アジャスタ装置(７)と前記第１アジャスタ装置(５)により圧着される。次いで、左右枠本体(28)(28)を、その互いに対向する内側面(28b)から、止めねじ(35)によって支柱(２)に固定する。
【００２６】
次いで、パネル基材(８)の両側に位置させた１対のカバー部材(29)(29)を、左右方向の内側から、左右枠本体(28)に着脱可能に固定する。カバー部材(29)は、左右枠本体(28)の幅方向（前後方向）の中央から両縁に向けて、平面視において左右方向の外側に向けて傾斜するカバー板部(36)と、その前後方向の両端部に、左右枠本体(28)に向けて設けられた、短寸の外側弾性係止片(37)と長寸の内側弾性係止片(38)とよりなり、両弾性係止片(37)(38)は、係止爪(37a)(38a)を備えている。カバー部材(29)は、外側弾性係止片(37)、内側弾性係止片(38)を、それぞれ左右枠本体(28)の第１係合部(31)、第２係合部(34)に係止させることにより、左右枠本体(28)に着脱可能に取付けられている。
【００２７】
左右枠本体(28)に１対のカバー部材(29)(29)が取付けられて形成された左右枠(12)は、幅方向の中央から両縁に向けて、平面視において左右方向の外側に向かって傾斜する傾斜面(29a)を備える形状となっている。
【００２８】
床面(４)に設置されている第１アジャスタ装置(５)は、図４に示すように、床面(４)に配設されたベース部材(39)上に載置されており、脚座(40)と、アジャスタボルト(41)と、受け具(42)とより構成されている。
【００２９】
ベース部材(39)は、左右方向に延びるとともに、断面が中央に高さの低い下向きコ字状の係合凸部(43)を備える上向きコ字状のチャネル材からなっている。
【００３０】
脚座(40)は、下向きコ字状部材の中央に通孔(44)を穿設して形成され、ベース部材(39)における係合凸部(43)に、上方から嵌合して固定されている。
【００３１】
アジャスタボルト(41)は、雄ねじ部(45)と、その下端に設けられた外形が六角形をなす大径の頭部(46)と、この頭部(46)の下面中央から下方に垂下する小径の取付軸部(47)とよりなる。アジャスタボルト(41)は、その取付軸部(47)を、脚座(40)の通孔(44)に貫通させて、その下端をかしめることにより、脚座(40)に回転自在に取付けられている。
【００３２】
受け具(42)は、支持部(48)と受板(49)とよりなり、支持部(48)は、上向きコ字形材の上縁の前後に、前後方向に延びる受片(48a)(48a)を有し、かつ底板(48b)の中央に、短寸の雌ねじ筒(48c)を有している。
【００３３】
受板(49)は、最下段のパネル材(3a)の下枠(20)の下面に設けられている前後１対の垂下片(23)(23)の離間幅とほぼ等しい前後幅を有し、この受板(49)は、支持部(48)の両受片(48a)(48a)上に溶着されて、受け具(42)が形成されている。受け具(42)は、その短寸の雌ねじ筒(48c)をアジャスタボルト(41)の雄ねじ部(45)に上方より螺合させることにより、アジャスタボルト(41)に取付けられている。
【００３４】
まず、最下段のパネル材(3a)を、受け具(42)の受板(49)を下枠(20)の１対の垂下片(23)(23)間に嵌合させるようにして第１アジャスタ装置(５)上に載置する。次いで、順次、パネル材(３)を４段に積み上げた後、天井(６)に設けられている第２アジャスタ装置(７)と、前記第１アジャスタ装置(５)との両者をもって、パネル材(３)を圧着して組み付ける。
【００３５】
第２アジャスタ装置(７)は、第１アジャスタ装置(５)を天地を逆にしたものと同一である。
【００３６】
パネル材(３)を圧着するには、第１および第２の両アジャスタ装置(５)(７)、またはその一方におけるアジャスタボルト(45)(50)の外形が六角形をなす頭部(46)(51)をスパナ等で回転させることにより、受け具(42)(52)が上下動して圧着することができる。
【００３７】
最下段のパネル材(3a)の下枠(20)と、第１アジャスタ装置(５)、および最上段のパネル材(3d)の上枠(27)と第２アジャスタ装置(７)の、それぞれの前後面には、カバー部材(53)(53)が取付けられている。
【００３８】
カバー部材(53)は、前記下枠(20)と、上枠(27)における、それぞれの１対の弾性係止片(25)(54)の内向き係止爪(25a)(54a)に、カバー部材(53)における１対の弾性係止片(55)の外向き係止爪(55a)を係止させることにより、下枠(20)または、上枠(27)に取付けられている。これらのカバー部材(53)により、前記下枠(20)または上枠(27)と、第１または第２のアジャスタ装置(５)(７)におけるベース部材(39)(56)間の間隙が覆われて、見栄えが良好となっている。
【００３９】
カバー部材(53)は、端部に前後方向の内側向きに取付けられた人造ゴムよりなる当接部材(57)により、ベース部材(39)(56)の外側面に当接している。
【００４０】
第１および第２のアジャスタ装置(５)(７)は、左右の支柱(２)(２)間に、所望間隔で複数配設されている。
【００４１】
図７，図８は、本発明を適用した間仕切パネル装置の別の実施形態を示す図であり、それぞれ図１におけるVII〜VII線断面図、VIII〜VIII線断面図である。
【００４２】
本実施形態の間仕切パネル装置(58)が、第１実施形態の間仕切パネル装置(１)と異なる点は、第１実施形態においては、第１と第２のアジャスタ装置(５)(７)間に４枚のパネル材(３)を組み付けていたが、本実施形態においては、前記４枚のパネル材(３)に、ほぼ相当する上下方向の長さを有する縦長の１枚のパネル材(59)を、床面(４)および天井(６)に、それぞれ配設したアジャスタ装置(60)(61)間に組み付けていることである。
【００４３】
前記パネル材(59)の下枠(62)および上枠(63)は、それぞれ第１実施形態における最下段のパネル材(3a)の下枠(20)、最上段のパネル材(3d)の上枠(27)と同一である。
【００４４】
パネル材(59)の左右枠(64)(64)、およびアジャスタ装置(60)(61)も第１実施形態におけるものと同一である。
【００４５】
図７に示すように、左右の支柱(65)(２)のうち、端部の支柱(65)には、カバー部材(66)が取付けられている。
【００４６】
カバー部材(66)は、上下方向に延び、内側面における前後方向の中央に、上下方向の凸条(66a)が設けられ、かつ前後端が内向きコ字状に折曲げられて形成されている。
【００４７】
このカバー部材(66)は、凸条(66a)を、支柱(65)の外側面における上下方向の凹溝(65a)に嵌合させることにより、支柱(65)に取付けられている。
【図面の簡単な説明】
【００４８】
【図１】本発明を適用した間仕切パネル装置の一実施形態を示す斜視図である。
【図２】図１におけるII〜II線断面図である。
【図３】同じく、図１におけるIII〜III線断面図である。
【図４】図３における上下端部近傍の部分拡大図である。
【図５】同じく、図３における一点鎖線円Ｖ内の部分拡大図である。
【図６】図１における一点鎖線円VI内の部分拡大斜視図である。
【図７】本発明を適用した別の実施形態を示す図であり、図１におけるVII〜VII線断面図である。
【図８】同じく、図１におけるVIII〜VIII線断面図である。
【符号の説明】
【００４９】
(１)間仕切パネル装置
(２)支柱
(３)パネル材
(４)床面
(５)第１アジャスタ装置
(６)天井
(７)第２アジャスタ装置
(８)パネル基材
(９)外枠材
(10)上枠
(10a)外側面
(10b)内側面
(11)下枠
(11a)外側面
(11b)内側面
(12)左右枠
(13)(14)係合溝
(15)(16)係止突条
(17)ガイド傾斜面
(18)凹溝
(19)上枠
(20)下枠
(21)板状部材
(21a)上面
(21b)下面
(22)凹溝
(23)垂下片
(23a)外側面
(24)横連結片
(25)弾性係止片
(25a)係止爪
(26)下枠
(27)上枠
(28)左右枠本体
(28a)外側面
(28b)内側面
(29)カバー部材
(29a)傾斜面
(30)凹部
(31)第１係合部
(32)内側向き突片
(33)凹溝
(34)第２係合部
(35)止めねじ
(36)カバー板部
(37)(38)弾性係止片
(37a)(38a)係止爪
(39)ベース部材
(40)脚座
(41)アジャスタボルト
(42)受け具
(43)係合凸部
(44)通孔
(45)雄ねじ部
(46)頭部
(47)取付軸部
(48)支持部
(48a)受片
(48b)底板
(48c)雌ねじ筒
(49)受板
(50)アジャスタボルト
(51)頭部
(52)受け具
(53)カバー部材
(54)弾性係止片
(54a)係止爪
(55)弾性係止片
(55a)係止爪
(56)ベース部材
(57)当接部材
(58)間仕切パネル装置
(59)パネル材
(60)(61)アジャスタ装置
(62)下枠
(63)上枠
(64)左右枠
(65)支柱
(65a)凹溝
(66)カバー部材
(66a)凸条
【図１】
0004713254.tif 000002
【図２】
0004713254.tif 000003
【図３】
0004713254.tif 000004
【図４】
0004713254.tif 000005
【図５】
0004713254.tif 000006
【図６】
0004713254.tif 000007
【図７】
0004713254.tif 000008
【図８】
0004713254.tif 000009